(57)【特許請求の範囲】
【請求項１】
少なくとも１つの端材取り出しステーション（６００）を含む複数の作業ステーション（３００、４００、５００、６００）と、
シート形態の要素を前記作業ステーション（３００、４００、５００、６００）を通して駆動するように構成された複数の把持器バー（７５）を含む搬送デバイス（７０）と、
を含むシート形態の要素を加工するための加工機械（１）のためのサンプルブランク（Ｐ）をはね出すためのはね出しデバイス（２）であって、
少なくとも１つの起動要素（３）、
を含み、
前記少なくとも１つの起動要素（３）は、
前記少なくとも１つの起動要素（３）が前記把持器バー（７５）の経路から離れるように位置決めされる非アクティブ位置と、
前記少なくとも１つの起動要素（３）が、前記把持器バー（７５）の前記経路上に位置決めされるアクティブ位置と、
の間で移動することができ、
前記アクティブ位置では、前記少なくとも１つの起動要素（３）は、前記把持器バー（７５）が有している開放スピンドルを回転駆動させ、それにより前記把持器バー（７５）を開いてサンプルブランク（Ｐ）をフラットにはね出すように、該把持器バー（７５）がそばを通過する時に該把持器バー（７５）と協働し、
前記アクティブ位置では、前記少なくとも１つの起動要素（３）は、ブランク分離ステーション（５００）のブランク分離ツール（５０１、５０２）の出口でかつ前記端材取り出しステーション（６００）のオンザフライはね出し装置（９２）の上流で前記把持器バー（７５）の前記経路上に位置決めされる、
ことを特徴とするはね出しデバイス（２）。
【請求項２】
前記アクティブ位置では、前記少なくとも１つの起動要素（３）は、前記把持器バー（７５）が０°と６０°の間に含まれる角度（α）を水平（Ｈ）と作る時に該把持器バー（７５）を開くように該把持器バー（７５）の前記経路上に位置決めされることを特徴とする請求項１に記載のはね出しデバイス（２）。
【請求項３】
前記少なくとも１つの起動要素（３）は、湾曲アクティブプロファイル（１７）を有するカムであり、該カムの該湾曲アクティブプロファイル（１７）に沿った前記把持器バー（７５）の移動が、該把持器バー（７５）の把持器（７６）の開放、それに続く閉鎖を強制することを特徴とする請求項１又は請求項２に記載のはね出しデバイス（２）。
【請求項４】
前記少なくとも１つの起動要素（３）は、前記加工機械（１）が生産中である時に非アクティブ位置にあることを特徴とする請求項１から請求項３のいずれか一項に記載のはね出しデバイス（２）。
【請求項５】
前記起動要素（３）に前記非アクティブ位置から前記アクティブ位置に移動するように指令するための制御部材（４）を含むことを特徴とする請求項１から請求項４のいずれか一項に記載のはね出しデバイス（２）。
【請求項６】
前記ブランク分離ステーション（５００）に配置された遮断部材（５）を含み、前記遮断部材（５）は、上昇位置にあるブランク分離ステーション（５００）のブランク分離ツールの上側ツール（５０１）を遮断して前記サンプルブランク（Ｐ）の取り付け点が分離されるのを防止することを特徴とする請求項１から請求項５のいずれか一項に記載のはね出しデバイス（２）。
【請求項７】
前記少なくとも１つの起動要素（３）は、シートの進行方向（Ｄ）に移動することができることを特徴とする請求項１から請求項６のいずれか一項に記載のはね出しデバイス（２）。
【請求項８】
少なくとも１つのアクチュエータ（１４）と、
前記アクティブ位置では、展開位置を取り、前記非アクティブ位置では、折り畳み位置を取ることができる少なくとも１つのリンク部材（１６）であって、前記アクチュエータ（１４）によって駆動され、かつ前記アクティブ位置での前記少なくとも１つの起動要素（３）の移動を駆動するために固定部品（１８）と該少なくとも１つ起動要素（３）の間に配置された、少なくとも１つのリンク部材（１６）と、を含むことを特徴とする請求項１から請求項７のいずれか一項に記載のはね出しデバイス（２）。
【請求項９】
前記アクティブ位置と前記非アクティブ位置の間で前記少なくとも１つの起動要素（３）の移動を誘導する移動誘導手段（１５）を含むことを特徴とする請求項１から請求項８のいずれか一項に記載のはね出しデバイス（２）。
【請求項１０】
シート形態の要素を加工するための機械（１）のための端材取り出しステーション（６００）であって、
請求項１から請求項９のいずれか一項に記載のサンプルブランクはね出しデバイス（２）、
を含むことを特徴とする端材取り出しステーション（６００）。
【請求項１１】
シート端材をオンザフライで取り出すためのオンザフライはね出し装置（９２）を含み、
前記はね出しデバイス（２）の少なくとも１つの起動要素（３）が、シートの進行方向（Ｄ）に前記オンザフライはね出し装置（９２）の上流に配置されることを特徴とする、
請求項１０に記載の端材取り出しステーション（６００）。
【請求項１２】
シート形態の要素を加工するための加工機械（１）であって、
請求項１０及び請求項１１のいずれか一項に記載の端材取り出しステーション（６００）を含む複数の作業ステーション（３００、４００、５００、６００）と、
前記作業ステーション（３００、４００、５００、６００）を通して前記シート形態の要素を駆動するように構成された複数の把持器バー（７５）を含む搬送デバイス（７０）と、
を含むことを特徴とする加工機械（１）。
【請求項１３】
請求項１２に記載のシート形態の要素を加工するための加工機械（１）内でサンプルブランク（Ｐ）をはね出す方法であって、
ブランク分離ステーション（５００）での少なくとも１つの打ち抜かれたシートのブランクの分離が阻止される段階と、
少なくとも１つの起動要素（３）が、把持器バー（７５）を開いてサンプルブランク（Ｐ）をフラットにはね出すために該把持器バー（７５）がそばを通過する時に該把持器バー（７５）と協働するように前記ブランク分離ステーション（５００）のブランク分離ツール（５０１、５０２）の出口でかつ端材取り出しステーション（６００）のオンザフライはね出し装置（９２）の上流で該把持器バー（７５）の経路の中に移動される段階と、
を含むことを特徴とする方法。
【請求項１４】
アクティブ位置では、前記少なくとも１つの起動要素（３）は、前記把持器バー（７５）が０°と６０°の間に含まれる角度（α）を水平（Ｈ）と作る時に該把持器バー（７５）の把持器（７６）を開いて前記サンプルブランク（Ｐ）をフラットにはね出すことを特徴とする請求項１３に記載のはね出し方法。
【発明の詳細な説明】
【技術分野】
【０００１】
本発明は、シート形態の要素を加工するための機械にサンプルブランクをはね出すためのデバイスに関し、端材取り出しステーション、シート形態の要素を加工するための加工機械に関し、かつシート形態の要素を加工するための機械にサンプルブランクをはね出す方法に関する。
【背景技術】
【０００２】
パッケージング製造業では、シートは、例えば所与の形状の複数の箱を取得する観点から、取得されることになる展開形状に対応する打ち抜き金型を用いて打ち抜かれる。
【０００３】
打ち抜き及び端材のはね出しの後に、シートのブランク間の取り付けの点が切り離され、ブランクは、それらが分離されて周期的な交互配置によって安定化される受け入れゾーンで垂直パイルに積み重ねられる。端材とも呼ぶシートの残余部分は、端材取り出しステーションまで駆動されるようにシート搬送デバイスの把持器バーの把持器に把持されて留まる。
【０００４】
把持器バーは、打ち抜きプレスの２つの側部の各々上にそれぞれ１つ配置されて把持器バーの２つの端部がそれに固定された２つのループチェーンによって通常は駆動される。把持器バーによって搬送される端材の進行方向に対して横断方向に延びる櫛の形態のオンザフライはね出し装置が、端材取り出しステーションに配置される。
【０００５】
把持器バーの経路は、端材取り出しステーションでのその開放に対して、それがチェーンセットのループの旋回部で上昇する時にバーの把持器が開いてオンザフライではね出し装置と交差するように同期される。把持器バーによって駆動されるシートは、オンザフライではね出されて取り出しベルトの上に転落する。
【０００６】
はね出しは、打ち抜かれたシートを取り出しベルトの上に転落させるために端材取り出しステーションで把持器バーの半旋回経路が直接に使用されるので「オンザフライ」であると言われる。オンザフライはね出しは、１つの把持器バーを節約することを可能にする。具体的に、オンザフライはね出しなしでは、打ち抜かれたシートを把持器バーから取り出すために、機械は、例えば、把持器バーが端材のシートを降ろすためにそこで停止すると考えられる追加の端材取り出しステーションを含むことが必要であろう。チェーンセットも、高価で嵩高である１つの追加の把持器バーによって延長されることが必要であると考えられる。
【０００７】
ブランクの成形を品質管理するために、生産工程中にブランクの定期的なサンプルを採ることが必要であると判明している。タバコ又はシガレット産業のようなある一定の産業は、実際に比較的頻繁なサンプリングを必要とする。
【０００８】
サンプルが採られる度に、オペレータがブランクのスタックからサンプルを取り出すのに要する時間にわたって生産をかなり減速するか又は一時的に停止する必要があり、これは、時間に関して及びリソースに関して高価なことである。これに加えて、ブランクのスタックから採られたサンプルは、取り扱い中に紛失するか又はシート端材に混ざる場合がある。このサンプル採取作業は、従って、それが生産速度を減速し、オペレータの関与を伴い、かつブランクが紛失してしまう場合があるので多少非効率的かつ非人間工学的である。
【０００９】
別のソリューションは、ブランクが分離されて受け入れステーションで受け入れられる代わりに、シート及びそのブランクを端材はね出しステーションで受け入れることであると考えられる。それは、機械の停止を必要とする。それはまた、シートが把持器バーから切断され、それによってそれを補助開放機構を用いて取り出すことができることを必要とする。
【００１０】
従って、現時点では生産稼働中に定期的なサンプルを採るのは困難であり、従って、これらのサンプルを品質管理するのは困難である。
【発明の概要】
【発明が解決しようとする課題】
【００１１】
本発明の目的の１つは、従って、成形機械内でサンプルブランクをはね出して生産工程中にブランクの容易で定期的なサンプリングを可能にするためのデバイスを提案することである。
【課題を解決するための手段】
【００１２】
この目的に対して、本発明の１つの主題は、シート形態の要素を加工するための加工機械のためのサンプルブランクをはね出すためのはね出しデバイスであり、加工機械は、少なくとも１つの端材取り出しステーションを含む複数の作業ステーションと、作業ステーションを通してシート形態の要素を駆動するように構成された複数の把持器バーを含む搬送デバイスとを含み、はね出しデバイスは、それが、少なくとも１つの起動要素が把持器バーの経路から離れるように位置決めされる非アクティブ位置と、把持器バーを開いてブランクのサンプルをフラットにはね出すように把持器バーがそばを通過する時に把持器バーと協働するように構成された少なくとも１つの起動要素が把持器バーの経路上に位置決めされるアクティブ位置との間で移動することができる少なくとも１つの起動要素を含むことを特徴とする。
【００１３】
少なくとも１つの起動要素は、従って、把持器バーの把持器を開いてブランクのサンプルをはね出すためのアクティブ位置を取ることができる。ブランクのサンプルは、従って、簡単かつ自動的にはね出すことができる。
【００１４】
アクティブ位置では、少なくとも１つの起動要素は、例えば、ブランク分離ステーションのブランク分離ツールの出口でかつ端材取り出しステーションのオンザフライはね出し装置の上流で把持器バーの経路上に位置決めされる。アクティブ位置では、少なくとも１つの起動要素は、例えば、把持器バーが０°と６０°の間に含まれる角度を水平と形成する時に把持器バーを開くように把持器バーの経路上に位置決めされる。
【００１５】
起動要素のこの位置付けは、少なくとも１つの起動要素がチェーンセットの水平部分上で又は少なくともチェーンセットの曲げ部の開始点で把持器バーの把持器を開くことができることを意味する。それは、一方で解除されたブランクのサンプルのための実質的に直線の経路を保つことを可能にし、他方でブランク分離ステーションで停止されたブランクのサンプルがいくらかの速度を取り戻し、それによって把持器バーが開く時に直線で可能な限り遠くまで実質的に駆動されるほど十分なエネルギを取得することを可能にする。
【００１６】
単独又は組合せで考えられるはね出しデバイスの１又は２以上の特徴により、少なくとも１つの起動要素は、湾曲アクティブプロファイルを有するカムであり、カムの湾曲アクティブプロファイルに沿った把持器バーの移動は、把持器バーの把持器の開放、それに続く閉鎖を強制し、少なくとも１つの起動要素は、加工機械が生産中である時に非アクティブ位置にあり、はね出しデバイスは、非アクティブ位置からアクティブ位置に移動するように起動要素に指令するようにその起動が構成された制御部材を含み、はね出しデバイスは、上昇位置にあるブランク分離ステーションのブランク分離ツールの上側ツールを遮断することによってブランクサンプルの取り付け点が分離されるのを防止するように構成されてブランク分離ステーションに配置された遮断部材を含み、少なくとも１つの起動要素は、シートの進行方向に移動することができ、はね出しデバイスは、少なくとも１つのアクチュエータと少なくとも１つの脱増倍部材とを含み、脱増倍部材は、アクチュエータによって駆動されるように構成され、かつアクティブ位置にある少なくとも１つの起動要素の移動を駆動するために固定部品と少なくとも１つ起動要素との間に配置され、はね出しデバイスは、アクティブ位置と非アクティブ位置間で少なくとも１つの起動要素の移動を誘導するように構成された移動誘導手段を含む。
【００１７】
本発明の別の主題は、シート形態の要素を加工するための機械のための端材取り出しステーションであり、それが上述したサンプルブランクはね出しデバイスを含むことを特徴とする。
【００１８】
端材取り出しステーションは、例えば、シート端材をオンザフライで取り出すためのオンザフライはね出し装置を含み、はね出しデバイスの少なくとも１つの起動要素がシートの進行方向にオンザフライはね出し装置の上流に、すなわち、オンザフライはね出し装置の前に配置されることを特徴とする。
【００１９】
本発明の別の主題は、シート形態の要素を加工するための加工機械であり、それが、上述した端材取り出しステーションを含む複数の作業ステーションと、作業ステーションを通してシート形態の要素を駆動するように構成された複数の把持器バーを含む搬送デバイスとを含むことを特徴とする。
【００２０】
本発明の別の主題は、上述したシート形態の要素を加工するための加工機械にサンプルブランクをはね出す方法であり、それが、ブランク分離ステーションでの少なくとも１つの打ち抜かれたシートのブランクの分離が阻止される段階と、少なくとも１つの起動要素が、把持器バーを開いてブランクサンプルをフラットにはね出すように把持器バーがそばを通過する時に把持器バーと協働するように、ブランク分離ステーションのブランク分離ツールの出口でかつ端材取り出しステーションのオンザフライはね出し装置の上流で把持器バーの経路内に移動される段階とを含むことを特徴とする。
【００２１】
アクティブ位置では、少なくとも１つの起動要素は、把持器バーが０°と６０°の間に含まれる角度を水平と形成する時に把持器バーの把持器を開いてブランクサンプルをフラットにはね出す。
【図面の簡単な説明】
【００２２】
更に別の利点及び特徴は、、本発明の説明を読解することから及び本発明の１つの非限定的な例示的実施形態を描く添付図面を研究することから明らかになるであろう。
【００２３】
【図１】シート形態の要素を加工するための機械の一例を非常に概略的に示す図である。
【図２】図１の加工機械の一部の概略側面図である。
【図３Ａ】非アクティブ位置にあるサンプルブランクはね出しデバイスの起動要素を示す生産工程中の図２と類似の図である。
【図３Ｂ】起動要素がアクティブ位置にあるサンプルブランクはね出し方法の工程中の図３Ａと類似の図である。
【図３Ｃ】起動要素が非アクティブ位置に移動されているブランクのサンプルのフラットはね出し後の図３Ｂと類似の図である。
【図４】アクティブ位置にあるサンプルブランクはね出しデバイスの一部の斜視図である。
【図５Ａ】図４の一部の側面を示し、アクティブ位置にあるはね出しデバイスの起動要素との開放のための協働の開始時の把持器バーの断面を示す図である。
【図５Ｂ】起動要素との開放のための協働の終了時の把持器バーの図５Ａと類似の図である。
【図６】サンプルブランク検査デバイスをより具体的に示す図２と類似の図である。
【図７】生産工程中に連続搬送位置にあるサンプルブランク回収デバイスの概略図である。
【図８】ブランクのサンプルの採取中に上昇位置にある図６の回収デバイスの概略図である。
【発明を実施するための形態】
【００２４】
これらの図では、同一の要素は同じ参照番号を有する。以下の実施形態は、実施例である。本明細書は、１又は２以上の実施形態に言及するが、これは、各言及が１つの同じ実施形態に関すること又は特徴が単一実施形態に適用されることを必ずしも意味しない。様々な実施形態の簡単な特徴を組み合わせて又は交換して他の実施形態を形成することができる。
【００２５】
上流及び下流という用語は、図１の矢印Ｄで示すようにシートの進行方向に関して定められる。これらの要素は、機械の主長手軸線にほぼ従って周期的な停止によって調節された移動で上流に向けて移動する。横断方向Ｔは、シートの進行長手方向Ｄに対して垂直な方向である。水平平面は、平面（Ｌ，Ｔ）に対応する。
【００２６】
「平坦要素」という用語と「シート」という用語は同等であると見なされ、段ボール紙又は平坦ボール紙、紙、又はパッケージング産業で一般的に使用されるあらゆる他の材料で作られる要素に等しく関連することになる。本文を通して「シート」、「シート形態の要素」、又は「シート形態要素」は、例えば、ボール紙の、紙の、プラスチックなどのシートのようなシートの形態にあるあらゆる印刷支持体を非常に一般的に意味することは理解されるであろう。
【００２７】
図１は、シートを変換するための加工機械１の一例を描いている。この加工機械１は、従来、単位アセンブリを形成するために並置されるが互いに独立したいくつかの作業ステーションで構成される。すなわち、給送ステーション１００と、例えばプラテンプレス３０１を含むシートを打ち抜くための変換ステーション３００と、端材はね出しステーション４００と、変換されたシートがスタックに再編成されるブランク分離ステーション５００と、打ち抜かれたシート端材（一般的に格子形態にある）がオンザフライで取り出される端材取り出しステーション６００とが存在する。
【００２８】
各シートを変換する作業は、変換ステーション３００において、例えば、所与の形状の複数の箱を取得することを念頭に置いて取得されることになる展開形状に対応する打ち抜き金型を用いてシートを打ち抜くためのプレス３０１の例えば固定プラテンと可動下側プラテンの間で実施される。可動プラテンは、各機械サイクル中に一度連続して上昇及び下降する。
【００２９】
給送ステーション１００の出口から変換ステーション３００を通して端材取り出しステーション６００に至るまで各シートを個々に移動するための搬送デバイス７０が更に設けられる。
【００３０】
搬送デバイス７０は、シートを順番に機械１の様々な作業ステーション３００、４００、５００、６００を通して引く前にシートをその前縁上で各々が順次把持する一般的に把持器バー７５と呼ぶ把持器が取り付けられた複数の横断バーを含む。
【００３１】
把持器バー７５の側端の各々は、一般的にチェーンセット８０と呼ぶループを形成する側面チェーンにそれぞれ接続される。従って、把持器バー７５の各側に１つずつ２つのチェーンセット８０が側面方向に配置される。
【００３２】
搬送デバイス７０は、それぞれのチェーンセット８０を誘導するように構成された少なくとも１つのチェーンガイドデバイス９０を更に含む。
【００３３】
駆動ホイール７２でチェーンセット８０に伝達される移動に起因して、把持器バー７５のセットは、停止位置から開始して加速し、最大速度を達成して減速し、その後に停止することになり、こうして１つの作業ステーションから次の作業ステーションへのシートの移動に対応するサイクルが説明される。チェーンセット８０は、各移動中に全ての把持器バー７５が１つのステーションから下流にある次の作業ステーションに移動されるように周期的に移動及び停止する。各ステーションは、一般的に機械サイクルと呼ぶ上記サイクルと同期して作業を実施する。作業ステーションは、各機械サイクルの開始時に更に別の仕事を開始するための初期位置にある。機械サイクルは、一般的に０°と３６０°の間で変化する機械角度（ＡＭ）によって定められる。
【００３４】
加工機械１内の加工ステーションの個数及び性質は、シートに対して実施される作業の性質及び複雑さに従って異なる場合がある。本発明の関連では、加工機械という概念は、作業ステーションのモジュール式構造に起因して多くの実施形態を更に網羅する。使用される作業ステーションの個数、性質、及びレイアウトに基づいて、複数の異なる加工機械を取得することが実際に可能である。型押しステーション又は筋付けステーションのような又は１又は２以上の型打ちストリップからもたらされる箔からのパターンがプレスのプラテン間の各シートに印加される型打ち機械又は「熱箔押し」機械のための型打ちストリップを装填するためのステーションのようなシートを変換することを可能にする言及したものとは別のタイプの作業ステーションが存在することを強調することも重要である。１つのかつ同じ加工機械は、打ち抜きステーション及び型押しステーションのようなシートを変換するいくつかの作業ステーションの組合せを含むことができる。最後に、１つのかつ同じ加工機械には、１つの同じタイプのいくつかのステーションを十分良好に装備することができることを理解しなければならない。
【００３５】
図１には搬送デバイス７０の要素を概略で描いている。この図は、加工機械１の様々な作業ステーション３００、４００、５００、６００を通してシートを移動するための複数、この例では８つの把持器バー７５と、チェーンセット８０と、ブランク分離ステーション５００の下流にある端材取り出しステーション６００に配置されたチェーンガイドデバイス９０とを示している。移動チェーンセット８０を駆動する駆動ホイール７２は、反対側の給送ステーション１００の近くに配置される。
【００３６】
図２により良く見ることができるように、各チェーンガイドデバイス９０は、例えば、プーリー又はスプロケットホイールの形態で又は例えば円筒形状の簡単なガイドの形態でも製造される例えば旋回ホイール９１と、機械１内で実質的に水平に配置されて旋回ホイール９１を離れるチェーンセット８０を誘導するための上側チェーンガイドと、旋回ホイール９１に向けてループ内の曲げ部の周りでチェーンセット８０を誘導するための湾曲形状を有する下側チェーンガイドとを含む。
【００３７】
変換ステーション３００での成形及び端材はね出しステーション４００での小さい端材のはね出しに続くブランク分離ステーション５００では、シートのブランク間の取り付け点は、受け入れゾーン内で垂直に互いに上下に装着された雄上側ツール５０１と雌下側ツール５０２とを含むもののようなブランク分離ツールを用いて切り離される（再度図１を参照されたい）。ブランクは、下側ツール５０２の格子のメッシュを通って落下し、受け入れパレット上の受け入れゾーンに垂直スタックで積み上げられる。
【００３８】
端材取り出しステーション６００は、把持器バー７５にその前縁が係合した打ち抜かれたシートから端材をオンザフライで取り出すためのオンザフライはね出し装置９２を含む。オンザフライはね出し装置９２は、例えば、櫛の全体形態を有し、把持器バー７５によって搬送される端材の進行方向に対して横断方向に延びる。把持器バー７５の経路は、端材取り出しステーション６００内のその開放と同期され、そのためにそれらがチェーンセット８０のループ内の曲げ部を上昇する時にバーの把持器は、それらがオンザフライはね出し装置９２を妨害するので開く。オンザフライはね出し装置９２は、例えば、把持器バー７５が旋回ホイール９１上で反転して他方の方向に戻り始める時に把持器バー７５を開いてシート形態の要素端材を解除するように把持器バー７５の経路に配置される。把持器バー７５によって駆動されるシートは、オンザフライではね出され９２、加工機械１の取り出しベルト９３の上に転落する。端材は、次に、例えば、取り出しベルト９３によって端材トレイに搬送される（図１）。
【００３９】
はね出しは、端材取り出しステーション６００内で打ち抜かれたシートを取り出しベルト９３上に転落させるために把持器バー７５の旋回直前経路が直接に使用されるので「オンザフライ」と言われる。オンザフライはね出しは、端材の軽量さの結果として端材を取り出しベルト９３の上に送るのに把持器バー７５の湾曲経路を使用することによって把持器バー７５を節約することを可能にする。
【００４０】
端材取り出しステーション６００は、サンプルブランクはね出しデバイス２を更に含むことができる。
【００４１】
サンプルブランクはね出しデバイス２は、端材取り出しステーション６００に配置された少なくとも１つの起動要素３を含む。
【００４２】
この少なくとも１つの起動要素３は、起動要素３が把持器バー７５の経路から離れるように位置決めされる非アクティブ位置（図３Ａ、図３Ｃ）と起動要素３が把持器バーの経路に配置されるアクティブ位置（図３Ｂ、図４）との間を移動することができる。
【００４３】
アクティブ位置では、少なくとも１つの起動要素３は、ブランク分離ステーション５００のブランク分離ツール５０１、５０２の出口でかつ端材取り出しステーション６００のオンザフライはね出し装置９２の上流（図１も参照されたい）で把持器バー７５の経路に配置される。
【００４４】
少なくとも１つの起動要素３は、例えば横断方向Ｔに移動することができる。
【００４５】
別の例により、この少なくとも１つの起動要素３は、シートの進行方向Ｄに移動することができる（図３Ｂ、図３Ｃの矢印Ｆ１、Ｆ２）。起動要素３は、例えば、旋回ホイール９１の方向への搬送デバイス７０のチェーンセット８０の湾曲の基部に位置決めされる。すなわち、非アクティブ位置にある起動要素３は、水平位置を離れて旋回ホイール９１に向けて上昇する把持器バー７５の経路を邪魔しない。
【００４６】
図４で見ることができるように、サンプルブランクはね出しデバイス２は、例えば、アクティブ位置にある少なくとも１つの起動要素３の移動を駆動するように構成された起動シリンダのような少なくとも１つのアクチュエータ１４を含む。
【００４７】
はね出しデバイス２は、例えば、アクティブ位置にある少なくとも１つの起動要素３の移動を駆動するようにアクチュエータ１４によって駆動され、固定部品１８と可動起動要素３の間に配置された少なくとも１つの脱増倍部材１６を更に含む。脱増倍部材１６は、例えば、アクティブ位置で展開位置（図５Ａ、図５Ｂ）をかつ非アクティブ位置で折り畳み位置を取ることができるラッチロックリンクタイプの連結のシステムを含む。
【００４８】
はね出しデバイス２は、一方が起動要素３によって担持され、他方がはね出しデバイス２の固定部品１８によって担持される少なくとも１つのピンと協働する少なくとも１つの長円孔１５のような移動誘導手段を更に含むことができる。移動誘導手段は、アクティブ位置と非アクティブ位置間で少なくとも１つの起動要素３の移動を誘導するように構成される。
【００４９】
少なくとも１つの起動要素３は、例えばカムである。
【００５０】
カムは、湾曲アクティブプロファイル１７を有し、湾曲アクティブプロファイルに沿った把持器バー７５の移動は、把持器バー７５の把持器７６の漸進的な開放、それに続く閉鎖を強制する。
【００５１】
少なくとも１つの起動要素３の湾曲アクティブプロファイル１７は、広範囲のシート坪量をはね出すことを可能にするために、アクティブ位置にある把持器バー７５と協働して把持器バー７５の把持器７６を例えば５０°機械角度（ＡＭ）と７０°機械角度（ＡＭ）の間に含まれる６０°ＡＭのような機械角度にわたって把持器バー７５の把持器７６を漸進的に開き、把持器バー７５の２つの連続する停止位置間の機械角度は、３６０°ＡＭに等しい。湾曲アクティブプロファイル１７は、開放時に図５ａの１６０°ＡＭのような機械角度λ°ＡＭから図５ｂの機械角度λ°ＡＭ＋６０°ＡＭに至るまで把持器バー７５と協働する。実質的に戻っているカムの湾曲アクティブプロファイル１７の残りの部分は、把持器バー７５を閉鎖させる。
【００５２】
少なくとも１つの起動要素３は、把持器バー７５が通り過ぎる時に側面回転駆動要素１９と協働し、把持器バー７５の開放に向けてスピンドルの回転を駆動するように構成される。側面回転駆動要素１９は、把持器バー７５の開放に向けてスピンドルの端部でのような把持器バー７５の端部に配置される。開放スピンドルの回転駆動は、把持器バー７５の全ての把持器７６の同時開放をもたらし、従ってシートを解除させる。
【００５３】
把持器バー７５は、例えば、２つの側面回転駆動要素１９を含み、１つの側面回転駆動要素１９が開放スピンドルの各端部に位置決めされる。一例示的実施形態により、側面回転駆動要素１９は、従属部を担持するピボット回転レバーを含み、ピボット回転レバーは、開放スピンドルに固定され、従属部は、起動要素３の湾曲アクティブプロファイル１７と協働することができる。
【００５４】
はね出しデバイス２は、例えば、アクティブ位置で各起動要素３が把持器バー７５のそれぞれの側面回転駆動要素１９と協働することができるように配置された２つの起動要素３を含む。各起動要素３は、例えば、アクチュエータ１４、脱増倍部材１６、及びそれぞれの移動ガイドデバイス１５とも協働する。
【００５５】
すなわち、把持器バー７５が端材取り出しステーション６００の起動要素３の高さに到達した時に、起動要素３は、ピボット回転レバーを持ち上げて把持器７６を開く。
【００５６】
アクティブ位置では、少なくとも１つの起動要素３は、例えば、把持器バー７５が０°と６０°の間に含まれる５２°のような角度αを水平Ｈと作る時に把持器バー７５を開くように把持器バー７５の経路に配置される。角度αは、把持器バー７５の把持器７６によって把持されたシートの前部の平面と水平Ｈの間に形成される角度である。シートは、その坪量に従って把持器７６からより早く又はより遅く解除され、厚いシートは、より遅く、すなわち、大きい角度αに対応する把持器の大きい開放で解除される。
【００５７】
アクティブ位置では、少なくとも１つの起動要素３は、把持器バー７５の把持器７６が０°と１０°の間に含まれる例えば８．５°程度の角度αを水平Ｈと作る時（図３Ｃ及び図５Ａ）に把持器バー７５を開放し始めるように把持器バー７５の経路に位置決めすることができる。従って、シートは、把持器バー７５が０°と６０°の間に含まれる角度αを水平と作る時（図３Ｃ及び図５Ａ）かつ湾曲アクティブプロファイル１７が例えば図５Ｂの機械角度λ°ＡＭ＋６０°ＡＭで開放目的での把持器バー７５との協働を停止する前に解除される。
【００５８】
少なくとも１つの起動要素３は、シート形態の要素をブランク分離ステーション５００に位置決めする把持器バー７５の直前の停止位置の近くに配置することができる。
【００５９】
従って、アクティブ位置では、少なくとも１つの起動要素３は、把持器バー７５の把持器７６をチェーンセット８０の水平部分の上で又は少なくともチェーンセット８０の曲げ部の始端で開くことを可能にする。
【００６０】
起動要素３のこの位置付けは、一方で解除されたブランクサンプルＰに対して実質的に直線の経路を維持することを可能にし、他方で把持器バー７５が開く時にブランク分離ステーション５００内で停止していたブランクサンプルＰが可能な限り遠くまで直線で実質的に駆動されるほど十分なエネルギを取得するようにいくらかの速度を取り戻すことを可能にする。
【００６１】
起動要素３のこの位置付け及びカムのこの湾曲アクティブプロファイル１７は、ブランクサンプルＰが解除された時に、フラットにはね出されたブランクサンプルＰが把持器バー７５の経路内にあることに起因してブランクサンプルＰが先行する把持器バー７５に当たることがないこと、又は次の把持器バー７５によって捕捉されることのないように十分な速度を有することを意味する。
【００６２】
非アクティブ位置（図３Ａ、図３Ｃ）では、少なくとも１つの起動要素３は、ある程度の距離を離れるように位置決めされ、少なくとも１つの起動要素３のそばを通過する時に閉鎖状態に留まる把持器バー７５と協働しない。
【００６３】
少なくとも１つの起動要素３は、例えば、加工機械１が生産中である時に非アクティブ位置にある。
【００６４】
はね出しデバイス２は、ボタンのような制御部材４を更に含むことができ、その起動は、非アクティブ位置からアクティブ位置まで移動して少なくとも１つのブランクサンプルＰをフラットにはね出すように起動要素３に指令することを加工機械１の加工ユニット１３（図１）を通じて可能にする。
【００６５】
加工ユニット１３は、例えば、コントローラ、マイクロコントローラ、又はコンピュータである。
【００６６】
非アクティブ位置からアクティブ位置への起動要素３の移動は、例えば、機械サイクル内で指令することができる。
【００６７】
起動後に、例えば、予め決められた回数の機械サイクルの後に、制御部材４は停止通常位置に戻ることができる。
【００６８】
はね出しデバイス２は、ブランク分離ステーション５００に配置されて上昇位置にあるブランク分離ツールの上側ツール５０１を遮断することによってブランクサンプルＰの取り付け点が分離されるのを防止するように構成された遮断部材５を含むことができる。
【００６９】
例えば、遮断部材５は、例えば機械サイクル上で制御部材４の起動によって指令される。
【００７０】
制御部材４の起動は、例えば、ブランクのサンプルＰの前及び／又はブランクのサンプルＰの後の予め決められた個数のシート間隙、例えば、前後に２つのシート間隙を更に指令することができる。シート間隙は、給送ステーション１００内でシートを把持しないように把持器バー７５に指令することによって達成される。
【００７１】
サンプリングされることになるシートの前のシート間隙は、ブランクのサンプルＰが先行端材Ｆの上に乗らないように最後のシート形態の要素端材を取り出しベルト９３から（又は後に見られることになるように第１の取り出しベルト９４から）引き離すことを可能にする。同様に、ブランクのサンプルＰに続くシート間隙は、連続するシート形態の要素からの端材ＦがブランクのサンプルＰを覆うのを回避することを可能にする。
【００７２】
上側ツール５０１の遮断とアクティブ位置への起動要素３の移動とを数回の機械サイクルにわたって同時に行い、ブランクのサンプルＰのフラットはね出しの上流及び下流のシート間隙と協働させることをもたらすことができる。
【００７３】
端材取り出しステーション６００は、ブランクのサンプルＰを検査するための検査デバイス６を更に含むことができる（図６）。検査デバイス６は、取り出しベルト９３上にフラットに置かれたブランクのサンプルＰの品質に関して欠陥を決定するように構成された光学モニタデバイス７を含む。
【００７４】
光学モニタデバイス７は、例えば、カメラ又はスチールカメラを含む。
【００７５】
検査デバイス６は、光学モニタデバイス７に接続された制御ユニット８を含むことができ、検査デバイス６は、品質不良の存在を決定するために光学モニタデバイス７によって取り込まれた画像を少なくとも１つの基準画像に対して比較するように構成される。制御ユニット８は、例えば、加工機械１のコントローラ、マイクロコントローラ、又はコンピュータである。これは、加工ユニット１３である場合がある。制御ユニット８は、少なくとも１つの基準画像を格納するメモリを含む。
【００７６】
検査デバイス６は、制御ユニット８に接続された警告ユニット９を更に含むことができ、警告ユニット９は、オペレータに品質不良を警告するための警告メッセージ又はランプ点灯のような警告を発生するように構成される。
【００７７】
光学モニタデバイス７は、従って、例えば、取り出しベルト９３上にフラットに置かれたブランクのサンプルＰの画像を取り込み、制御ユニット８は、品質不良が存在するか否かを決定し、不良が存在する場合は警告信号を発生するようにこの取り込み画像を少なくとも１つの基準画像と比較する。
【００７８】
品質不良は、打ち抜きの不整合、部分的な未打ち抜き、又は均一ではない打ち抜きのような変換ステーション３００内で発生した打ち抜き不良である場合がある。品質欠陥は、不良印刷、稼働、調色、又は色整合に関する可能性もある。
【００７９】
従って、品質管理検査は、オペレータの関与の必要なく自動的に実施することができる。それによって定期的な検査を定期的な間隔でプログラムすることができる。この目視検査は、取りわけ、はね出しデバイス２を用いて取り出しベルト９３上にフラットに置かれたブランクのサンプルＰを利用可能にすることができることにより、同じく取りわけ、シート形態の要素端材Ｆがシート間隙の使用によってブランクのサンプルＰから離れた状態に保たれることによっても可能になる。
【００８０】
端材取り出しステーション６００は、ブランクのサンプルＰを回収するための回収デバイス１０を更に含むことができる（図７及び図８）。この場合に、上述のように単一取り出しベルト９３を有する代わりに、回収デバイス１０は、第１の取り出しベルト９４と第２の取り出しベルト９５とを含む。
【００８１】
第２の取り出しベルト９５は、シートの進行方向Ｄに関して第１の取り出しベルト９４の後に配置される。
【００８２】
取り出しベルト９４、９５は、例えば、取り出しベルト９３のように２つのドラムの周りに閉ループを形成するコンベヤベルトである。
【００８３】
第１の取り出しベルト９４は固定される。第２の取り出しベルト９５は、連続搬送位置（図７）と上昇位置（図８）の間で移動することができる。
【００８４】
連続搬送位置では、シート形態の要素端材Ｆを第１の取り出しベルト９４から第２の取り出しベルト９５に（図７）、更に第２の取り出しベルト９５から端材トレイに搬送することができるように、第１及び第２の取り出しベルト９４、９５の第１の端部９４ａ、９５ａは互いに近い。
【００８５】
第１の端部９４ａ、９５ａは、実質的に水平の位置で互いに近いが、摩擦を回避し、第２の取り出しベルト９５がピボット回転することを可能にするために互いに接触しない。
【００８６】
より具体的には、連続搬送位置では、第２の取り出しベルト９５の第１の端部９５ａを第１の取り出しベルト９４の第１の端部９４ａよりも低く位置決めすることができる。第１の端部９５ａ、９４ａのドラムの中心は、例えば、実質的に水平の直線上に実質的に位置合わせされ、第１の取り出しベルト９４の第１の端部９４ａのドラムは、第２の取り出しベルト９５の第１の端部９５ａのドラムよりも太い。これは、次に、連続搬送位置でシート形態の要素端材Ｆが第１の取り出しベルト９４から第２の取り出しベルト９５に適正に搬送されることを保証する。
【００８７】
第２の取り出しベルト９５は、例えば、加工機械１が生産中である時に連続搬送位置にある。
【００８８】
第２の取り出しベルト９５は、例えば、第１の端部９５ａの反対側の第２の端部９５ｂの周りでピボット回転するように構成される。
【００８９】
回収デバイス１０は、例えば、第２の取り出しベルト９５をピボット回転させるために恐らくはアクチュエータのアクションを脱増倍するためのリンクのシステムに関連付けられた起動シリンダのようなアクチュエータを含む。アクチュエータは、例えば、サンプルブランクはね出しデバイス２を制御する制御ユニット４の起動を通じて加工ユニット１３によって指令される。第２の取り出しベルト９５は、従って、例えば、第１の取り出しベルト９４上への少なくとも１つのブランクのサンプルＰの到着時に上昇位置の中にピボット回転する。
【００９０】
上昇位置では、第２の取り出しベルト９５の第１の端部９５ａは、例えば、２０°と５０°の間に含まれる角度だけ上方にピボット回転しており、第１の取り出しベルト９４と第２の取り出しベルト９５の間に間隙１１を生成する。
【００９１】
間隙１１は、第１の取り出しベルト９４によって搬送された少なくとも１つのブランクのサンプルＰを第２の取り出しベルト９５に搬送することはできないが、例えば、サンプルブランクＰの回収トレイ又は引き出し１２（図８）に向けて間隙１１の中に傾けて入るほど十分に大きい。
【００９２】
次に、オペレータは、ブランクの１又は複数のサンプルＰを回収トレイ又は引き出し１２から直接に回収することができ、これらのサンプルは端材Ｆから選別される。
【００９３】
生産時に、オンザフライはね出しに起因して一般的にかなり乱雑に落下するシート形態の要素端材Ｆは、従って、実質的に直線で端材トレイに取り出すことができ（図７）、シート形態の要素端材Ｆが直立して、傾斜して、又はいずれかの他の向きで落下する場合であっても生産中の障害及び従って機械停止を回避することが可能になる。
【００９４】
ブランクのサンプルＰが採られている時に、一方でブランクのサンプルＰを第１の取り出しベルト９４上にフラットに置くことができること、他方で採られるサンプルが１つ又はいくつかしかないことに起因して、ブランクのサンプルＰが間隙１１（図８）内で楔止め状態になる危険性が少ない。
【００９５】
作業中に、ブランクのサンプルを採る方法１００は以下の段階を含む。
【００９６】
生産作業中（図３Ａ）に、はね出しデバイス２の起動要素３は非アクティブ位置にある。これらの起動要素３は、把持器バー７５の経路から離れるように位置決めされる。
【００９７】
シート形態の要素が変換ステーション３００内で成形され、小さい端材が端材はね出しステーション４００内ではね出され、シート上のブランク間の取り付け点がブランク分離ステーション５００内で切り離され、シート形態の要素端材Ｆが、端材取り出しステーション６００内のオンザフライはね出し装置９２においてオンザフライではね出されて、ブランクサンプル回収デバイス１０の取り出しベルト９３の上に又は第１の取り出しベルト９４の上に転落する（図１、図７を参照されたい）。
【００９８】
加工機械１が回収デバイス１０を含む場合に、第２の取り出しベルト９５は連続搬送位置にある（図７）。オンザフライではね出されたシート形態の要素端材Ｆは、第１の取り出しベルト９４から第２の取り出しベルト９５に実質的に直線で搬送され、その後に、第２の取り出しベルト９５から端材トレイに搬送される。
【００９９】
オペレータは、ブランクのサンプルＰを採取しようと思った時に、制御部材４（図１）を起動する。
【０１００】
制御部材４の起動は、ブランクのサンプルＰの前にある予め決められた個数のシート間隙、例えば、２つのシート間隙の可能な指令と、例えば、１回の機械サイクルでの上側ツール５０１の遮断と、例えば、ブランク分離ツールが遮断された機械サイクルに続く１回の機械サイクルにわたる非アクティブ位置からアクティブ位置への起動要素３の移動と、ブランクのサンプルＰの採取後の予め決められた個数のシート間隙、例えば、２つのシート間隙の指令と、加工機械１に回収デバイス１０が装備されている場合にはね出しデバイス２によって第１の取り出しベルト９４上にフラットにはね出されたブランクのサンプルＰの到着時の第２の取り出しベルト９５のピボット回転と、取り出しベルト９３又は第１の取り出しベルト９４の上にフラットに置かれたブランクのサンプルＰの画像の取り込みとを加工ユニット１３を通してトリガすることができる。
【０１０１】
２つの機械サイクルにわたって、把持器バー７５はシートを把持しない。
【０１０２】
次に、把持器バー７５は、変換ステーション３００内でブランクのサンプルＰ（全シート）を把持し、そこからの小さい端材が端材はね出しステーション４００内ではね出され、ブランク分離ステーション５００内で不動化される。ブランクのサンプルＰが打ち抜かれて小さい端材が取り除かれている時に、２つの把持器バー７５はシートを把持しない。
【０１０３】
ブランク分離ステーション５００の上側ツール５０１は遮断されるので、ブランクのサンプルＰ間の取り付け点は切り離されない。
【０１０４】
ブランクのサンプルＰ（この時点で打ち抜かれているが分離されていないシートである）を搬送する把持器バー７５がブランク分離ステーション５００を離れた状態で、上側ツール５０１は使用可能になる。
【０１０５】
起動要素３が把持器バー７５の経路に位置決めされるアクティブ位置に向けて起動要素３が移動される（図３Ｂの矢印Ｆ１）。
【０１０６】
そのように位置決めされると、起動要素３は、把持器バー７５と協働してその通路上でブランク分離ステーション５００を離れる。
【０１０７】
起動要素３は、把持器７６を開くために把持器バー７５の開放に向けてスピンドルをピボット回転させ、それによってブランクのサンプルＰを取り出しベルト９３（図３Ｃ）の上に又は第１の取り出しベルト９４（図８）の上にフラットにはね出す。
【０１０８】
ブランクのサンプルＰは、シートの進行方向Ｄの直接平行移動と類似の移動でフラットにはね出される。
【０１０９】
ブランクのサンプルＰは、生産中にシート形態の要素端材Ｆがはね出されるようにオンザフライはね出し装置９２の高さでオンザフライではね出されるのではなく、起動要素３の場所でフラットにはね出される。従って、ブランクのサンプルＰは、ブランク間の取り付け点が破断することなく、かつシートが取り出しベルト９３又は第１の取り出しベルト９４の上に落下する時に曲がることなく「優しく」はね出すことができる。
【０１１０】
次に、起動要素３は、把持器バー７５の側面回転駆動要素１９の経路から離れるように非アクティブ位置に戻る（図３Ｃの矢印Ｆ２）。
【０１１１】
加工機械１がブランクサンプルを回収するための回収デバイス１０を含む場合に、アクチュエータは、第１の取り出しベルト９４上への少なくとも１つのブランクのサンプルＰの到着時に第２の取り出しベルト９５を上昇位置にピボット回転させ、第１の取り出しベルト９４と第２の取り出しベルト９５の間に間隙１１を生成する。第１の取り出しベルト９４によって搬送された少なくとも１つのブランクのサンプルＰは、ブランクのサンプルＰを回収するための回収トレイ又は引き出し１２に向けて間隙１１の中に傾いて入る（図８）。
【０１１２】
次に、アクチュエータは、第２の取り出しベルト９５を連続搬送位置にピボット回転させる。
【０１１３】
制御部材４が停止される。
【０１１４】
次に、機械１は、生産を再開することができる（図３Ａ）。
【０１１５】
オペレータは、従って、打ち抜きされてブランク（又はブランクのサンプルＰ）からは分離されていないシートを取り出しベルト９３又は回収トレイ又は引き出し１２から回収することができる。
【０１１６】
次に、オペレータは、ブランクのサンプルＰが品質欠陥を示すか否かを目視検査によって自分で決定することができる。
【０１１７】
品質管理検査は、オペレータの関与の必要なく検査デバイス６を用いて自動的に実施することができる。
【０１１８】
この目的で、取り出しベルト９３又は第１の取り出しベルト９４上にフラットに置かれたブランクのサンプルＰの品質欠陥は、フラットに置かれたブランクのサンプルＰの画像を取り込むことによって決定される。
【０１１９】
取り込まれた画像は、次に、品質欠陥が存在するか否かを決定するために少なくとも１つの基準画像と比較され、欠陥が見つかった場合はオペレータに警告する。
【符号の説明】
【０１２０】
１  加工機械
２  サンプルブランクはね出しデバイス
７５  把持器バー
９１  旋回ホイール
９２  オンザフライはね出し装置
【図１】
0006920464.tif 000002
【図２】
0006920464.tif 000003
【図３Ａ】
0006920464.tif 000004
【図３Ｂ】
0006920464.tif 000005
【図３Ｃ】
0006920464.tif 000006
【図４】
0006920464.tif 000007
【図５Ａ】
0006920464.tif 000008
【図５Ｂ】
0006920464.tif 000009
【図６】
0006920464.tif 000010
【図７】
0006920464.tif 000011
【図８】
0006920464.tif 000012